(57)【特許請求の範囲】
【請求項１】
注文された商品を配送する車両に備えられる注文処理システムであって、
新しい商品の注文についての注文書を読取る読取装置と、
前記注文書を読取って得た画像データから新しい商品の注文に関する注文情報を作成する情報処理装置と、
前記注文情報を含む注文明細書と、新たな注文書とを印刷する印刷装置と、
を備えることを特徴とする注文処理システム。
【請求項２】
前記情報処理装置は、注文情報表示画面にて前記注文情報を表示することを特徴とする請求項１記載の注文処理システム。
【請求項３】
前記情報処理装置は、前記注文情報表示画面にて前記注文情報の変更を受付けることを特徴とする請求項２記載の注文処理システム。
【請求項４】
前記情報処理装置は、複数の利用客のうち、どの利用客の前記注文情報について前記注文情報表示画面を表示するかを選択可能な利用客選択画面を表示することを特徴とする請求項２または請求項３に記載の注文処理システム。
【請求項５】
前記新たな注文書の表示内容が、前記注文情報に応じて異なることを特徴とする請求項１から請求項４のいずれかに記載の注文処理システム。
【請求項６】
前記新たな注文書には、前記注文書にて注文された商品を再度注文するための前回注文品記入欄が設けられることを特徴とする請求項５記載の注文処理システム。
【請求項７】
注文された商品を配送する車両に備えられ、読取装置と、情報処理装置と、印刷装置とを含む注文処理システムによる注文処理方法であって、
前記読取装置が、新しい商品の注文についての注文書を読取るステップと、
前記情報処理装置が、前記注文書を読取って得た画像データから新しい商品の注文に関する注文情報を作成するステップと、
前記印刷装置が、前記注文情報を含む注文明細書と、新たな注文書とを印刷するステップと、
を含むことを特徴とする注文処理方法。
【発明の詳細な説明】
【技術分野】
【０００１】
本発明は、注文処理システムおよび注文処理方法に関する。
【背景技術】
【０００２】
利用客から食品等の注文を注文書にて受付け、注文された商品をトラック等の配送車両で利用客の元へと配送するサービスがある（特許文献１等参照）。このようなサービスでは、商品の配送時に注文書を利用客から回収するとともに、商品カタログと新たな注文書を手渡す。回収した注文書は店舗へと持ち帰って店舗側でOCR(optical character recognition)などの文字認識技術によって読取り、利用客の注文を確定している。
【０００３】
特許文献１には利用客が携帯端末等からネットワークを介して注文を行うことが記載されており、これにより低コスト化および作業負荷の軽減を実現できる。ただし、現状では紙の注文書によって注文が行われることが多く、デジタル端末に馴染みのない高齢者などでも利用しやすい利点がある。
【先行技術文献】
【特許文献】
【０００４】
【特許文献１】特開2014-056504号公報
【発明の概要】
【発明が解決しようとする課題】
【０００５】
このようなサービスでは、利用客の注文書への誤記入、店舗側での注文書の誤読取などが誤注文の原因となる。注文書は店舗に持ち帰った後利用客不在のなか読取りを行うため、これらの原因による誤注文が、誤注文された商品を配送して始めて判明するといったことがあり、利用客と店舗の双方にとってトラブルの元となっていた。
【０００６】
その他、利用客にとっては、請求金額を早い段階で知ることができないという不便さもあり、また注文の控えが残らないため、注文済みの商品を、注文済みであることを忘れて新たな注文書で余計に注文してしまうこともある。
【０００７】
また、店舗側にとっては、複数の利用客の注文書を店舗で一度にまとめて読取るため、注文された商品の総数が確定するまで時間が掛かっていた。さらに、注文書は店舗側で予め印刷しておくので、利用客の要望等に応じにくく、また注文書が決まった紙面、レイアウトになるため、これにより商品カタログに掲載する取扱商品点数が制約されるという課題もある。
【０００８】
本発明は、誤注文などによるトラブルを防ぎ、顧客と店舗双方にとって好適な注文処理システム等を提供することを目的とする。
【課題を解決するための手段】
【０００９】
前述した課題を解決するための第１の発明は、注文された商品を配送する車両に備えられる注文処理システムであって、新しい商品の注文についての注文書を読取る読取装置と、前記注文書を読取って得た画像データから新しい商品の注文に関する注文情報を作成する情報処理装置と、前記注文情報を含む注文明細書と、新たな注文書とを印刷する印刷装置と、を備えることを特徴とする注文処理システムである。
【００１０】
本発明では、商品の配送車両に備えた注文処理システムにより、注文書の読取と注文明細書の出力をその場で行うことができる。これにより、注文書を受取ったその場で注文結果を確認することが可能となり、請求金額などもその場で判る。これにより、注文書の誤記入や注文書の誤読取による誤注文がその場で判明し、トラブルを防ぐことができる。さらに、利用客の手元に注文明細書等が残るため、これを参照し、注文済みの商品の余計な注文も防止できる。
【００１１】
また店舗側にとっても、誤注文による金品の損失を減らしてリカバリー時の業務負荷を軽減でき、また店舗側で注文書を読取る等の手間が無く、注文された商品のピッキングを直ちに開始することも可能である。また注文書の読取のための施設、設備、人員も削減でき、メンテナンスも軽減できる。加えて、利用客の注文を従来よりも早く確定させ、注文状況を早期に把握することができ、これにより効果的な商品開発や販促企画を期待できる。
【００１２】
さらに、本発明では新たな注文書もその場で印刷して出力するので、利用客の要望に応じて、部数や枚数、紙面のサイズ、文字の大きさなどの変更、記入欄の変更や記入項目の増減などのレイアウトの変更にも柔軟且つスピーディーに対応でき、紙面のサイズ等やレイアウトも限定されないので商品カタログに掲載する取扱商品点数を増やすことも可能である。
【００１３】
前記情報処理装置は、注文情報表示画面にて前記注文情報を表示することが望ましい。また、前記情報処理装置は、前記注文情報表示画面にて前記注文情報の変更を受付けることが望ましい。さらに、前記情報処理装置は、複数の利用客のうち、どの利用客の前記注文情報について前記注文情報表示画面を表示するかを選択可能な利用客選択画面を表示することが望ましい。
これにより、注文情報表示画面上で利用客の注文の内容が確認でき、注文の修正がシステム上で即時にできるようになる。また、複数の利用客の注文書を読取っている場合、利用客選択画面により、どの利用客の注文情報表示画面を表示させるかを選択することができる。
【００１４】
前記新たな注文書の表示内容が、前記注文情報に応じて異なることが望ましい。例えば、前記新たな注文書には、前記注文書にて注文された商品を再度注文するための前回注文品記入欄が設けられる。
注文書を読取って得た注文情報を、新たな注文書の前回注文品記入欄などに即時に反映させることで、よりユーザーフレンドリーな注文書を提供できる。
【００１５】
第２の発明は、注文された商品を配送する車両に備えられ、読取装置と、情報処理装置と、印刷装置とを含む注文処理システムによる注文処理方法であって、前記読取装置が、新しい商品の注文についての注文書を読取るステップと、前記情報処理装置が、前記注文書を読取って得た画像データから新しい商品の注文に関する注文情報を作成するステップと、前記印刷装置が、前記注文情報を含む注文明細書と、新たな注文書とを印刷するステップと、を含むことを特徴とする注文処理方法である。
【発明の効果】
【００１６】
本発明により、誤注文などによるトラブルを防ぎ、顧客と店舗双方にとって好適な注文処理システム等を提供することができる。
【図面の簡単な説明】
【００１７】
【図１】注文処理システム１について説明する図
【図２】情報処理装置３のハードウェア構成の例を示す図
【図３】注文情報３００、３００’の例
【図４】注文処理システム１の処理について示すフローチャート
【図５】注文書４００の例
【図６】利用客選択画面５００と注文情報表示画面６００の例
【図７】注文明細書７００の例
【図８】新たな注文書４００’の例
【発明を実施するための形態】
【００１８】
以下、図面に基づいて本発明の好適な実施形態について詳細に説明する。
【００１９】
（１．注文処理システム１）
図１は本発明の実施形態に係る注文処理システム１について説明する図である。本実施形態の注文処理システム１は、注文書によって注文を行った利用客１００の元に、注文された商品１１をトラックなどの配送車両１０で店舗２０から配送するサービスにおいて用いられる。
【００２０】
利用客１００は、注文した商品１１を受け取るとともに、新しい商品１１の注文について記入済みの注文書４００を配送員２００に手渡す。また利用客１００には、注文した商品１１の他、注文明細書７００、新たな注文書４００’、商品カタログなども手渡される。
【００２１】
なお、本実施形態では複数の利用客１００によるグループの元に、各利用客１００が注文した商品１１を一括して配送するが、これに限ることはなく、個々の利用客１００の元へ商品１１を個別に配送するケースもある。
【００２２】
本実施形態の注文処理システム１は、上記の配送車両１０に備えられるものであり、情報処理装置３、読取装置５、印刷装置７等を有する。
【００２３】
情報処理装置３は、読取装置５や印刷装置７と有線もしくはWi-Fi(Wireless
Fidelity)等の無線にて通信可能に接続し、これらの装置との間でデータや制御信号の送受信を行い、後述する処理を実行する。情報処理装置３は、例えばノートパソコンやタブレット端末などである。
【００２４】
図２は情報処理装置３のハードウェア構成の例を示す図である。図２に示すように、情報処理装置３は、例えば制御部３１、記憶部３２、入力部３３、表示部３４、通信部３５等をバス３６により接続して構成されたコンピュータにより実現できる。ただし、情報処理装置３は、これに限ることなく適宜様々な構成をとることができる。例えば制御用のコントローラなどでもよい。
【００２５】
制御部３１は、ＣＰＵ、ＲＯＭ、ＲＡＭなどから構成される。ＣＰＵは、記憶部３２、ＲＯＭなどの記録媒体に格納された情報処理装置３の処理に係るプログラム等をＲＡＭ上のワークエリアに呼び出して実行する。ＲＯＭは不揮発性メモリであり、コンピュータのブートプログラムやＢＩＯＳなどのプログラム、データなどを恒久的に保持している。ＲＡＭは揮発性メモリであり、記憶部３２、ＲＯＭなどからロードしたプログラム等を一時的に保持するとともに、制御部３１が各種処理を行うために使用するワークエリアを備える。
【００２６】
記憶部３２は例えばハードディスクドライブであり、制御部３１が実行するプログラム、プログラム実行に必要なデータ、ＯＳなどが格納される。これらのプログラム等は、制御部３１により必要に応じて読み出され、ＲＡＭに移して実行される。
【００２７】
入力部３３はデータの入力を行うものであり、例えばキーボード、マウス、タッチパネルなどの入力装置である。
表示部３４は、液晶パネルなどのディスプレイ装置と、ディスプレイ装置と連携して表示機能を実現するための論理回路（ビデオアダプタ等）を有する。
【００２８】
通信部３５は、ネットワーク等を介した通信を媒介する通信インタフェースであり、他の装置との間で通信を行う。
バス３６は、各部間の制御信号、データ信号等の授受を媒介する経路である。
【００２９】
図１の説明に戻る。読取装置５は、注文書４００の読取りを行うものであり、例えばスキャナやカメラなどが用いられるが、これに限ることはない。
【００３０】
印刷装置７は、注文明細書７００や新たな注文書４００’等の印刷を行うものであり、例えばプリンタが用いられるが、これに限ることはない。
【００３１】
また本実施形態では、店舗２０にサーバ９が設けられる。サーバ９は図２で説明したものと同様の制御部、記憶部、入力部、表示部、通信部、バス等を有するコンピュータで実現できる。
【００３２】
サーバ９の記憶部には、利用客１００の注文情報が記録され、管理が行われる。注文情報は、利用客１００の商品１１の注文に関する情報である。図３（ａ）は注文情報３００の例である。この例では注文情報３００として注文時３０１、品名３０２、注文番号３０３、カテゴリ３０４、数量３０５、単価３０６、金額３０７等が含まれる。
【００３３】
注文時３０１は、利用客１００が注文を行った時であり、例えば、「１月３週」「１月４週」「２月１週」などである。本実施形態では、後述する注文書４００にて「２月１週」の注文を行うものとし、サーバ９には、それ以前すなわち「１月４週」までの注文情報３００が記録されているものとする。
【００３４】
品名３０２は、各注文時３０１に注文した商品１１の品名を記録したものであり、例えば「牛乳１Ｌ」や「食パン」などである。
【００３５】
注文番号３０３は、上記商品１１に対応する識別情報である。
カテゴリ３０４は、上記商品１１に対応するカテゴリであり、例えば「牛乳１Ｌ」であれば「畜産」、「食パン」であれば「パン」などである。
数量３０５は、上記商品１１を注文した数量である。
単価３０６は、上記商品１１の単価である。
金額３０７は、上記商品１１について、単価３０６と数量３０５を掛けて算出された金額である。
【００３６】
また、本実施形態では、注文情報３００に加え、取扱商品についての商品情報（不図示）や利用客１００についての利用客情報（不図示）もサーバ９に記録されているものとする。商品情報は、例えば、商品１１の品名３０２、注文番号３０３、カテゴリ３０４、単価３０６、その他商品画像等の紐付けを行ったデータである。利用客情報は、例えば、利用客１００の識別情報、氏名などを紐付けたデータである。
【００３７】
（２．注文処理システム１の処理）
次に注文処理システム１の処理について説明する。図４は注文処理システム１の処理について示すフローチャートである。なお、本実施形態では、商品配送先の利用客１００の注文情報３００や前記した利用客情報、また取扱商品についての商品情報等が予め情報処理装置３に入力され、記憶部３２等に記憶されているものとする。
【００３８】
前記した通り、本実施形態では配送員２００が配送車両１０により店舗２０から利用客１００の元へ商品１１を配送する。利用客１００は、注文した商品１１を受取るとともに、予め自宅等で必要事項を記入しておいた新しい商品１１の注文についての注文書４００を配送員２００に手渡す。配送員２００は注文書４００を受取り、読取装置５によって注文書４００を読取る（Ｓ１）。
【００３９】
図５は注文書４００の例であり、未記入の状態を示したものである。図に示すように、注文書４００では、利用客情報記入欄４０１、注文する商品１１（注文品）を記入する注文品記入欄４０２、前回注文した商品１１（前回注文品）を再度注文するための前回注文品記入欄４０３、利用客１００の注文頻度の高い商品１１（繰り返し注文品）を注文するための繰り返し注文品記入欄４０４、およびマーク４０５等が表示（印刷）されている。
【００４０】
利用客情報記入欄４０１では、利用客１００の識別情報であるＩＤや番号、利用客１００の氏名など、利用客１００に関する利用客情報が記入される。
【００４１】
注文品記入欄４０２には、注文する商品１１の注文番号３０３や数量３０５が記入される。注文番号３０３は、例えば商品カタログに商品画像や単価３０６などとともに掲載されている。
【００４２】
前回注文品記入欄４０３には、前回注文した商品１１の注文番号３０３と品名３０２が表示されており、数量３０５を記入するだけで注文ができるようになっている。
【００４３】
繰り返し注文品記入欄４０４には、利用客１００の注文頻度の高い商品１１の注文番号３０３と品名３０２、現行数量（例えば直前の注文時の数量３０５）が表示されており、変更数量（数量３０５）を記入するだけで注文ができるようになっている。
【００４４】
なお、注文頻度の高い商品１１は、例えば「直近１０回の注文時のうち５回以上で注文されている商品」など、注文頻度の基準を予め定めておき、利用客１００の注文情報から各商品１１の注文頻度を算出し上記基準に基づいて抽出することができる。
【００４５】
マーク４０５は、注文書４００の読取時の注文書４００の配置状態を得るためのもので、図５の例では矩形状の注文書４００の３つの角部に付される。マーク４０５を検知することで、注文書４００の読取時の注文書４００の配置状態を得ることができ、OCR等による文字認識精度が向上する。
【００４６】
情報処理装置３は、読取装置５で読取った注文書４００の画像データを取得する（Ｓ２）。なお、読取った注文書４００は利用客１００に返却するが、配送員２００が回収してもよい。また本実施形態では、前記した複数の利用客１００の注文書４００を読取るものとする。
【００４７】
情報処理装置３は、OCR等による既知の文字認識技術を用いて注文書４００の画像データから注文する商品１１の注文番号３０３、数量３０５等を抽出し、利用客１００の新しい商品１１の注文についての注文情報を作成し（Ｓ３）、記憶部３２等に記録する。
【００４８】
図３（ｂ）はＳ３で作成した新しい商品１１の注文についての注文情報３００’の例である。前記した通り、本実施形態では注文書４００にて「２月１週」の注文を行うので、注文時３０１としては「２月１週」が記録される。また注文情報３００’のうち、品名３０２、カテゴリ３０４、単価３０６は、商品情報を参照して上記抽出した注文番号３０３に対応するものを記録することができる。金額３０７は単価３０６に数量３０５を掛けて得られる。
【００４９】
情報処理装置３は、配送員２００等の操作に応じて、Ｓ３で作成した注文情報３００’を表示部３４に表示し、当該注文情報３００’の変更を受付ける（Ｓ４）。
【００５０】
この際の表示画面の例が図６（ａ）（ｂ）である。本実施形態では、まず図６（ａ）に示す利用客選択画面５００が情報処理装置３の表示部３４に表示される。利用客選択画面５００上の複数の利用客１００の選択ボタン（選択領域）５０１のうちいずれかを選択することで、図６（ｂ）に示す、選択された利用客１００の注文情報３００’を表示する注文情報表示画面６００へ移行する。
【００５１】
注文情報表示画面６００では、利用客情報表示領域６０１にて利用客１００の氏名やＩＤ、番号等の利用客情報が表示される。また注文情報表示領域６０２では、注文情報３００’として商品１１のカテゴリ３０４、注文番号３０３、品名３０２、数量３０５、単価３０６、金額３０７等が表示される。
【００５２】
この例では、「２月１週」の注文として、利用客１００が「いちご」を１つ、「ぶどう」を１つ、「さわら」を２つ、「牛乳１Ｌ」を１つ、「卵１０個入り」を１つ注文している。また、注文情報表示領域６０２には、注文した商品１１の合計金額やそれに掛かる税金額、合計金額と税金額を合わせた請求金額なども表示される。
【００５３】
さらに、注文情報表示画面６００では、数量変更ボタン６０３、削除ボタン６０４、品目追加ボタン６０５、出力ボタン６０６なども表示される。
【００５４】
数量変更ボタン６０３、削除ボタン６０４は、注文情報表示領域６０２の各商品１１に対応して表示される。数量変更ボタン６０３は、対応する商品１１の数量３０５の変更を行うためのものであり、削除ボタン６０４は、対応する商品１１の注文の取り下げを行うためのものである。
【００５５】
品目追加ボタン６０５は、注文する商品１１を追加するためのものであり、品目追加ボタン６０５を選択することで、新たな商品１１の注文番号３０３や数量３０５等を入力し、注文する商品１１を追加することができる。
【００５６】
これら数量変更ボタン６０３や削除ボタン６０４、品目追加ボタン６０５により、Ｓ３で作成した注文情報３００’を変更することができる。変更後の注文情報３００’は注文情報表示領域６０２に再度表示することができる。
【００５７】
出力ボタン６０６は注文明細書７００等の印刷を行うためのものであり、配送員２００や利用客１００の確認により、注文情報表示領域６０２に表示された注文情報３００’でＯＫであれば、出力ボタン６０６を選択する。
【００５８】
情報処理装置３は、出力ボタン６０６の選択により注文明細書７００等の印刷指示を受付け（Ｓ５）、注文情報３００’等を含む注文明細書７００の印刷データを印刷装置７に転送する。印刷装置７は注文明細書７００を印刷し出力する（Ｓ６）。
【００５９】
図７は注文明細書７００の例である。注文明細書７００は、注文情報表示画面６００と同様、利用客情報が表示（印刷）された利用客情報欄７０１、新しい商品１１の注文に係る注文情報３００’が表示された注文情報欄７０２を有する。注文情報欄７０２には、注文情報３００’として商品１１のカテゴリ３０４、注文番号３０３、品名３０２、数量３０５、単価３０６、金額３０７等が表示され、また前記した合計金額や税金額、請求金額なども表示される。
【００６０】
本実施形態では、さらに、情報処理装置３が新たな注文書４００’の印刷データも印刷装置７に転送し、印刷装置７によって新たな注文書４００’を印刷して出力する（Ｓ７）。配送員２００は印刷された注文明細書７００と新たな注文書４００’を利用客１００に手渡す。
【００６１】
図８は新たな注文書４００’の例である。本実施形態では、Ｓ３で作成した注文情報３００’に基づき、利用客が注文書４００で注文した商品１１が前回注文品記入欄４０３に表示されており、これに合わせて記入欄の数も５つに増加している。
【００６２】
また、この例では、情報処理装置３が、利用客１００の注文情報３００とＳ３で新たに作成した注文情報３００’とを合わせて商品１１の注文頻度を再度算出しており、その結果「刺身盛り合わせ」の商品１１の注文頻度が前記した繰り返し注文品の基準に満たなくなり、繰り返し注文品記入欄４０４から無くなって記入欄が３つに減少している。
【００６３】
なお、注文書４００で商品１１の注文を行った結果、その商品１１が前記した繰り返し注文品の基準を満たすこととなった場合、その商品１１が新たな注文書４００’において前回注文品記入欄４０３と繰り返し注文品記入欄４０４の両方に表示されうるが、本実施形態では、この場合前回注文品記入欄４０３のみに表示するようにしている。ただし、繰り返し注文品記入欄４０４のみに表示するようにしてもよい。
【００６４】
このように、新たな注文書４００’では、注文書４００から得られた注文情報３００’を前回注文品記入欄４０３や繰り返し注文品記入欄４０４などに即反映させ、表示内容を前回の注文書４００とは異なったものとできる。例えば前回注文品記入欄４０３には注文書４００にて注文された商品１１が即反映され、当該商品１１を再度注文することが可能となる。
【００６５】
商品１１の配送を終えた後、配送員２００は店舗２０へ帰着し、Ｓ３で作成された注文情報３００’をサーバ９に入力する。入力された注文情報３００’に基づき、すぐに新しい商品１１をピッキングして梱包することもできる。
【００６６】
以上説明したように、本実施形態では、商品１１の配送車両１０に備えた注文処理システム１により、注文書４００を受取ってその場で読取り、注文情報３００’を作成して注文明細書７００の出力を行うことができる。これにより、注文書４００を受取ったその場で注文結果を確認することが可能となり、請求金額などもその場で判る。これにより、注文書４００の誤記入や注文書４００の誤読取による誤注文がその場で判明し、トラブルを防ぐことができる。さらに、利用客１００の手元に注文明細書７００等が残るので、これを参照し、注文済みの商品１１の余計な注文も防止できる。
【００６７】
また店舗側にとっても、誤注文による金品の損失を減らしてリカバリー時の業務負荷も軽減でき、また店舗２０側で注文書４００を読取る等の手間が無く、注文された商品１１のピッキングを直ちに開始することも可能である。また注文書４００の読取のための施設、設備、人員が削減でき、メンテナンスも軽減できる。加えて、利用客１００の注文を従来よりも早く確定させ、注文状況を早期に把握することができ、これにより効果的な商品開発や販促企画を期待できる。
【００６８】
さらに、本実施形態では、新たな注文書４００’もその場で印刷して出力するので、利用客１００の要望に応じて、部数や枚数、紙面のサイズ、文字の大きさなどの変更、記入欄の変更や記入項目の増減などのレイアウトの変更についても柔軟且つスピーディーに対応でき、紙面のサイズ等やレイアウトも限定されないので商品カタログに掲載する取扱商品点数を増やすことも可能である。
【００６９】
また情報処理装置３は、注文情報表示画面６００にて注文情報３００’を表示し、その変更を受付けるので、注文情報表示画面６００上で利用客１００の注文結果を確認でき、注文情報３００’の修正がシステム上で即時にでき、修正後の注文明細書７００等の出力が可能である。また、本実施形態では複数の利用客１００の注文書４００を読取っているので、利用客選択画面５００によってどの利用客１００の注文情報表示画面６００を表示させるかを選択することができる。
【００７０】
また、本実施形態では、注文書４００を読取って得た注文情報３００’を、新たな注文書４００’の前回注文品記入欄４０３等に即時に反映させることで、よりユーザーフレンドリーな注文書を提供できる。
【００７１】
しかしながら、本発明はこれに限ることはない。例えば、本実施形態では、店舗２０への帰着後に情報処理装置３に記録された注文情報３００’をサーバ９に入力するが、携帯電話網などの無線ネットワークを利用し、帰着前に情報処理装置３から注文情報３００’をサーバ９に送信してもよい。これにより、利用客１００の注文状況がさらに早期に把握できるようになり、注文状況をよりタイムリーに生かした販促企画への迅速な展開が可能となる。
【００７２】
また、情報処理装置３の操作開始時や図６（ａ）の利用客選択画面５００での利用客選択時などに、利用客１００や配送員２００の指紋等による認証を経てもよく、これにより個人情報保護を配慮することもできる。
【００７３】
また、印刷装置７では、注文明細書７００や新たな注文書４００’に限らず、その他の印刷物を出力してもよい。例えば、利用客１００の注文情報３００、３００’に基づいて選択された推奨商品（例えばお勧め商品や注目商品など）の情報を印刷することもでき、これにより効果的なプロモーションを実現できる。こうして利用客１００に提案したい商品１１の情報を販促チラシとして別紙で印刷し出力できる。
【００７４】
また、利用客１００の注文情報３００、３００’に基づいて、利用客１００が注文した商品１１を使用した料理のレシピを印刷して出力することも可能である。これにより、足りない食材等の追加購買に繋げるなどプロモーション効果、顧客満足度向上効果が期待できる。
【００７５】
また、利用客１００の注文情報３００、３００’を用いて、所定期間（例えば月単位）の商品１１の購入金額の累計等を簡易な家計簿として印刷して出力することもできる。購入金額の累計は商品１１のカテゴリ３０４別に算出することも可能である。その他、商品１１の配達予定日、特売日、イベントなどを盛り込んだカレンダーなどを印刷して出力することもでき、本実施形態では直前に決定した事項も盛り込むことができる。
【００７６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７７】
１；注文処理システム
３；情報処理装置
５；読取装置
７；印刷装置
１０；配送車両
１１；商品
２０；店舗
１００；利用客
２００；配送員
３００、３００’；注文情報
４００、４００’；注文書
５００；利用客選択画面
６００；注文情報表示画面
７００；注文明細書
【図１】
0006528533.tif 000002
【図２】
0006528533.tif 000003
【図３】
0006528533.tif 000004
【図４】
0006528533.tif 000005
【図５】
0006528533.tif 000006
【図６】
0006528533.tif 000007
【図７】
0006528533.tif 000008
【図８】
0006528533.tif 000009